(57)【要約】【課題】電子内視鏡装置に処置具を近接又は接触させるだけで、当該処置具の使用に適した所要の設定内容で調光又は撮像素子の感度若しくは電子シャッタ速度を制御することができる電子内視鏡システムを提供する。【解決手段】電子内視鏡システムは、体内を照明する光源及び照明された体内を撮像する撮像素子を有する電子内視鏡装置１と、電子内視鏡装置１と併用される処置具３０とを備える。処置具３０は、所定情報を記憶するＩＣタグ３１を備え、電子内視鏡装置１は、ＩＣタグ３１から所定情報を読み出すＩＣタグリーダ１１と、ＩＣタグリーダ１１にて読み出された所定情報に基づいて、光源の光量又は撮像素子の感度若しくは電子シャッタ速度を制御する制御部とを備える。【選択図】図１
2018166988.tif 000002
【特許請求の範囲】
【請求項１】
体内を照明する光源及び照明された体内を撮像する撮像素子を有する電子内視鏡装置と、該電子内視鏡装置と併用される処置具とを備える電子内視鏡システムであって、
前記処置具は、
所定情報を記憶する電子タグを備え、
前記電子内視鏡装置は、
前記電子タグから前記所定情報を読み出す読出部と、
該読出部にて読み出された前記所定情報に基づいて、前記光源の光量又は前記撮像素子の感度若しくは電子シャッタ速度を制御する制御部と
を備える電子内視鏡システム。
【請求項２】
前記所定情報は、
前記光源の光量又は前記撮像素子の感度若しくは電子シャッタ速度の制御に係る情報を含む
請求項１に記載の電子内視鏡システム。
【請求項３】
前記電子内視鏡装置は、
前記撮像素子が設けられた電子内視鏡と、
該電子内視鏡及び前記光源の動作を制御する内視鏡制御装置と
を備え、
前記電子タグ及び前記読出部は、
前記電子内視鏡に前記処置具が装着された場合に前記所定情報の読み出しが可能になる箇所に配されている
請求項１又は請求項２に記載の電子内視鏡システム。
【請求項４】
前記制御部は、
前記読出部が前記電子タグから前記所定情報を読み出すことができる状況にある場合、前記所定情報に基づいて前記光量、前記感度又は前記電子シャッタ速度を制御し、前記読出部が前記電子タグから前記所定情報を読み出すことができない状況にある場合、他の情報に基づいて前記光量、前記感度又は前記電子シャッタ速度を制御する
請求項３に記載の電子内視鏡システム。
【請求項５】
前記電子内視鏡装置は、
前記撮像素子が設けられた電子内視鏡と、
該電子内視鏡及び前記光源の動作を制御する内視鏡制御装置と
を備え、
前記電子タグ及び前記読出部は、
前記電子内視鏡に前記処置具が装着された場合に前記所定情報の読み出しが不能になる箇所に配されており、
前記制御部は、
前記読出部が前記電子タグから前記所定情報を読み出す都度、前記所定情報に基づく前記光量、前記感度又は前記電子シャッタ速度の制御と、他の情報に基づく前記光量、前記感度又は前記電子シャッタ速度の制御とを切り換える
請求項１又は請求項２に記載の電子内視鏡システム。
【請求項６】
前記電子タグはＩＣタグであり、
前記読出部は前記ＩＣタグから非接触で前記所定情報を読み出すＩＣタグリーダである
請求項１〜請求項５までのいずれか一項に記載の電子内視鏡システム。
【請求項７】
光源によって照明された体内を撮像する撮像素子を備える電子内視鏡であって、
処置具に設けられた電子タグから、前記光源の光量又は前記撮像素子の感度若しくは電子シャッタ速度を制御するための所定情報を読み出す読出部を備える電子内視鏡。
【請求項８】
光源によって照明された体内を撮像する撮像素子を備える電子内視鏡と併用される処置具であって、
前記光源の光量又は前記撮像素子の感度若しくは電子シャッタ速度を制御するための所定情報を記憶する電子タグを備える
処置具。
【請求項９】
体内を撮像する撮像素子を備える電子内視鏡及び体内を照明する光源の動作を制御する内視鏡制御装置であって、
前記電子内視鏡と併用される処置具に設けられた電子タグから所定情報を読み出す読出部と、
該読出部にて読み出された前記所定情報に基づいて、前記光源の光量又は前記撮像素子の感度若しくは電子シャッタ速度を制御する制御部と
を備える内視鏡制御装置。
【発明の詳細な説明】
【技術分野】
【０００１】
本発明は、体内を照明して撮像する電子内視鏡システム、並びに当該システムを構成する電子内視鏡、処置具及び内視鏡制御装置に関する。
【背景技術】
【０００２】
患者の消化管、体腔等を観察する医療用機器として、電子内視鏡装置が実用化されている。電子内視鏡装置は、体内の被写体を照明して撮像する電子内視鏡と、電子内視鏡による照明及び撮像等を制御し、撮像画像を外部モニタへ出力する内視鏡制御装置とを備える。
【０００３】
また、術者が電子内視鏡を用いて内視鏡的粘膜下層剥離術（ＥＳＤ：Endoscopic Submucosal Dissection）、内視鏡的粘膜切除術（ＥＭＲ：Endoscopic Mucosal Resection）等の施術を行う際、高周波スネア、高周波ナイフ、高周波ハサミ鉗子等の処置具が利用される。ところでＥＳＤ、ＥＭＲ等の施術が行われる際、発光によって被写体周辺が急激に明るくなる等、撮像環境が大きく変動するため、通常観察時と異なる調光設定が行われる。
【０００４】
一方、特許文献１には使い捨ての処置具が再使用されることを防止するために、処置具にＩＣタグを設け、処置具が使用済みであるか否かを管理する技術が開示されている。
【先行技術文献】
【特許文献】
【０００５】
【特許文献１】特開２０１３−２５５６９８号公報
【発明の概要】
【発明が解決しようとする課題】
【０００６】
しかしながら、従来の電子内視鏡装置においては、術者が内視鏡制御装置の操作パネルを操作してＥＳＤ、ＥＭＲ等の施術用の調光設定を行う必要があった。しかも、当該調光設定を行うためには操作パネルを操作して、深い階層にある調光設定メニューまで辿っていく必要があった。
【０００７】
本願の目的は、電子内視鏡装置に処置具を近接又は接触させるだけで、当該処置具の使用に適した所要の設定内容で調光又は撮像素子の感度若しくは電子シャッタ速度を制御することができる電子内視鏡システム、電子内視鏡、処置具及び内視鏡制御装置を提供することにある。
【課題を解決するための手段】
【０００８】
本態様に係る電子内視鏡システムは、体内を照明する光源及び照明された体内を撮像する撮像素子を有する電子内視鏡装置と、該電子内視鏡装置と併用される処置具とを備える電子内視鏡システムであって、前記処置具は、所定情報を記憶する電子タグを備え、前記電子内視鏡装置は、前記電子タグから前記所定情報を読み出す読出部と、該読出部にて読み出された前記所定情報に基づいて、前記光源の光量又は前記撮像素子の感度若しくは電子シャッタ速度を制御する制御部とを備える。
【０００９】
本態様に係る電子内視鏡は、光源によって照明された体内を撮像する撮像素子を備える電子内視鏡であって、処置具に設けられた電子タグから、前記光源の光量又は前記撮像素子の感度若しくは電子シャッタ速度を制御するための所定情報を読み出す読出部を備える。
【００１０】
本態様に係る処置具は、光源によって照明された体内を撮像する撮像素子を備える電子内視鏡と併用される処置具であって、前記光源の光量又は前記撮像素子の感度若しくは電子シャッタ速度を制御するための所定情報を記憶する電子タグを備える。
【００１１】
本態様に係る内視鏡制御装置は、体内を撮像する撮像素子を備える電子内視鏡及び体内を照明する光源の動作を制御する内視鏡制御装置であって、前記電子内視鏡と併用される処置具に設けられた電子タグから所定情報を読み出す読出部と、該読出部にて読み出された前記所定情報に基づいて、前記光源の光量又は前記撮像素子の感度若しくは電子シャッタ速度を制御する制御部とを備える。
【発明の効果】
【００１２】
本態様によれば、電子内視鏡装置に処置具を近接又は接触させるだけで、当該処置具の使用に適した所要の設定内容で調光又は撮像素子の感度若しくは電子シャッタ速度を制御することができる。
【図面の簡単な説明】
【００１３】
【図１】実施形態１に係る電子内視鏡システムの一構成例を示す模式図である。
【図２】実施形態１に係る電子内視鏡システムの一構成例を示すブロック図である。
【図３】実施形態１に係る設定処理のフローチャートである。
【図４】電子内視鏡に処置具が装着された状態を示す模式図である。
【図５】実施形態２に係る電子内視鏡システムの一構成例を示す模式図である。
【図６】実施形態２に係る設定処理のフローチャートである。
【図７】実施形態３に係る電子内視鏡システムの一構成例を示す模式図である。
【発明を実施するための形態】
【００１４】
以下、本発明をその実施形態を示す図面に基づいて詳述する。
（実施形態１）
図１は、実施形態１に係る電子内視鏡システムの一構成例を示す模式図、図２は、実施形態１に係る電子内視鏡システムの一構成例を示すブロック図である。電子内視鏡装置１は、体内を照明して撮像する電子内視鏡１０と、光源装置２５を内蔵した内視鏡制御装置２０とを備える。電子内視鏡装置１は処置具３０と共に本実施形態１に係る電子内視鏡システムを構成している。
【００１５】
＜処置具の構成＞
処置具３０は、電子内視鏡１０と共に使用される医療器具である。処置具３０は、例えばＥＳＤ、ＥＭＲ等で使用される高周波スネア、高周波ナイフ、高周波ハサミ鉗子等である。処置具３０は、細長い線状の管部３０ａと、管部３０ａの一端部に設けられた先端器具３０ｂと、管部３０ａの他端部に設けられた操作ハンドル３０ｃとを備える。先端器具３０ｂは、環状ワイヤからなるスネア、ナイフ電極等である。術者は、操作ハンドル３０ｃを用いて先端器具３０ｂを操作することができる。また、操作ハンドル３０ｃには、ＩＣタグ３１が埋め込まれている。ＩＣタグ３１は、処置具３０の種類、当該処置具３０の使用に適した各種設定に係る情報を記憶している。各種設定に係る情報は、例えば体内を照明するための調光制御に係る設定情報を含む。なお、調光制御に係る設定は一例であり、撮像素子１５（図２参照）の感度及び電子シャッタ速度の設定情報をＩＣタグ３１に記憶させても良い。以下、ＩＣタグ３１が記憶する上記情報をタグ情報と呼ぶ。
ＩＣタグ３１は後述のＩＣタグリーダ１１と共にＲＦＩＤ（RadioFrequencyIdentification）システムを構成する。ＩＣタグ３１はループアンテナ、送受信回路、タグ情報を記憶する記憶部等を有する。ＩＣタグ３１はパッシブ型であり、ＩＣタグリーダ１１から送信されるＨＦ帯の電波をループアンテナで受電することにより駆動し、非接触でタグ情報をＩＣタグリーダ１１へ送信する。ＩＣタグ３１及びＩＣタグリーダ１１の通信可能距離は例えば数十ｃｍである。操作ハンドル３０ｃは、電子内視鏡１０に処置具３０が装着された場合にタグ情報の読み出しが可能になるＩＣタグ３１の配置箇所の一例である。
なお、パッシブ型のＩＣタグ３１は一例であり、アクティブ型であっても良い。また、利用する電波の周波数帯、情報の送受信方式も特に限定されるものでは無い。
【００１６】
＜電子内視鏡の構成＞
電子内視鏡１０は、図１に示すように患者の体内に挿入される可撓性の挿入管１０ａを備える。挿入管１０ａの一端部には硬質樹脂製の先端部１０ｂが設けられ、挿入管１０ａの他端部には手元操作部１０ｃが設けられている。挿入管１０ａと先端部１０ｂとの連結箇所は手元操作部１０ｃの操作によって湾曲自在に構成されている。手元操作部１０ｃにはユニバーサルチューブ１０ｄの一端部が接続され、ユニバーサルチューブ１０ｄの他端部には、電子内視鏡１０と、内視鏡装置とを接続するためのコネクタ部１０ｅが設けられている。
【００１７】
手元操作部１０ｃには、処置具３０の管部３０ａが挿入される処置具挿入口１０ｆが形成され、挿入管１０ａには、図２に示すように処置具挿入口１０ｆから先端部１０ｂへ至る挿通路１０ｇが形成されている。先端部１０ｂには、処置具挿入口１０ｆに挿入され、挿通路１０ｇを通じて先端部１０ｂへ至った処置具３０の先端器具３０ｂを外部へ突き出すための鉗子口１０ｈが形成されている。
【００１８】
また、手元操作部１０ｃには、ＩＣタグリーダ１１が設けられている。ＩＣタグリーダ１１は、近接状態にある処置具３０のＩＣタグ３１と非接触で通信を行い、ＩＣタグ３１が記憶するタグ情報を読み出し、読み出したタグ情報を後述の内視鏡駆動部１７へ出力するものである。
手元操作部１０ｃは、電子内視鏡１０に処置具３０が装着された場合にタグ情報の読み出しが可能になる当該ＩＣタグ３１の配置箇所の一例である。
【００１９】
更に、このように構成された電子内視鏡１０のユニバーサルチューブ１０ｄ及び挿入管１０ａの内部には、内視鏡制御装置２０から出力される照明光をコネクタ部１０ｅから先端部１０ｂへ導くライトガイド１２が挿通されている。ライトガイド１２は、例えば光ファイバの束で構成されている。
【００２０】
電子内視鏡１０の先端部１０ｂには、照明レンズ１３及び対物レンズ１４が設けられており、先端部１０ｂの内部には撮像素子１５及びアナログフロントエンド１６が収納されている。照明レンズ１３は、ライトガイド１２の出口端から出射される照明光を集光し、体内の被写体へ出射する。対物レンズ１４は、照明された被写体から反射される反射光を集光し、撮像素子１５に結像させる。撮像素子１５は、受光面に結ぶ光学像を電気信号に変換して出力するＣＭＯＳ（Complementary Metal Oxide Semiconductor）、ＣＣＤ（Charge Coupled Device）等である。アナログフロントエンド１６は、撮像素子１５から出力された電気信号を増幅し、Ａ／Ｄ変換し、撮像素子１５の各画素の輝度を示す画像信号を出力する。
【００２１】
電子内視鏡１０のコネクタ部１０ｅには、内視鏡制御装置２０の制御命令に従って撮像素子１５を駆動する内視鏡駆動部１７及びメモリ１８が設けられている。内視鏡駆動部１７は、コネクタ部１０ｅを介して後述する内視鏡制御装置２０の制御部２１、タイミングコントローラ２２及び信号処理回路２３に接続される。また、内視鏡駆動部１７は、ユニバーサルチューブ１０ｄ及び挿入管１０ａの内部を挿通する制御線及び信号線によって、撮像素子１５及びアナログフロントエンド１６に接続されている。内視鏡駆動部１７は、タイミングコントローラ２２から出力されるクロックパルスに同期したタイミングで撮像素子１５を駆動し、画像信号を信号処理回路２３へ出力する。また、内視鏡駆動部１７は、制御部２１から出力される制御命令に従って、撮像素子１５の感度、電子シャッタ速度等を設定する。感度は、例えば撮像素子１５から出力される電気信号の増幅率である。電子シャッタ速度は、例えば撮像に係る露光時間である。撮像素子１５は、内視鏡駆動部１７にて設定された電子シャッタ速度、増幅率等に従って動作する。
また、内視鏡駆動部１７にはメモリ１８が接続されている。メモリ１８は、ＥＥＰＲＯＭ（Electrically Erasable Programmable ROM）、フラッシュメモリ等の不揮発性メモリである。メモリ１８は、当該電子内視鏡１０に適した光源装置２５の調光制御に係る設定情報、撮像素子１５の感度及び電子シャッタ速度の設定情報等を記憶する。以下、メモリ１８が記憶する当該情報を標準設定情報と呼ぶ。内視鏡駆動部１７は、適宜のタイミングでメモリ１８から標準設定情報を読み出し、読み出した標準設定情報を内視鏡制御装置２０へ送信する。
なお、メモリ１８は標準設定情報の記憶場所の一例であり、内視鏡制御装置２０が標準設定情報を記憶している形態でも良い。
【００２２】
＜内視鏡制御装置の構成＞
内視鏡制御装置２０は、電子内視鏡装置１の各構成部の動作を制御する制御部２１を備え、制御部２１にはタイミングコントローラ２２、信号処理回路２３、操作パネル２４及び光源装置２５が接続されている。
【００２３】
制御部２１は、例えばＣＰＵ（Central Processing Unit）、ＲＯＭ（Read Only Memory）、ＲＡＭ（Random Access Memory）を有するマイコン、ＤＳＰ（Digital Signal Processor）等である。制御部２１は、電子内視鏡１０及び内視鏡制御装置２０の各構成部へ制御命令を出力することによって、各部の動作を制御する。
【００２４】
タイミングコントローラ２２は、画像信号等、各種信号の処理タイミングを調整するクロックパルスを内視鏡制御装置２０の各構成部及び電子内視鏡１０へ出力する。
【００２５】
信号処理回路２３は、例えばＤＳＰであり、電子内視鏡１０から出力された画像信号を入力する。信号処理回路２３は、入力した画像信号に対してガンマ補正、補間処理等の各種画像処理、各種文字及び画像の重畳処理等を実行し、所定の規格に準拠した映像信号に変換して外部モニタＡへ出力する。外部モニタＡは、内視鏡制御装置２０から出力された映像信号に基づいて、電子内視鏡１０で撮像された画像を表示する液晶モニタ、有機ＥＬディスプレイモニタ、プラズマディスプレイモニタ、ＣＲＴモニタ等である。また、信号処理回路２３は、電子内視鏡１０へ供給する照明光の光量等を制御するための情報として、撮像画像の輝度を示す輝度情報を制御部２１へ出力する。
【００２６】
操作パネル２４は、内視鏡制御装置２０の筐体正面に設けられた各種操作ボタン、タッチパネル式ＧＵＩ（Graphical User Interface）等を備える。術者は、操作パネル２４を操作することによって、撮像画像の目標輝度等、各種設定を行うことができる。
【００２７】
光源装置２５は、光源２５ａ、集光レンズ２５ｂ、ランプ電源２５ｃ、絞り２５ｄ、モータ２５ｅ及びモータ駆動部２５ｆを備える。
【００２８】
光源２５ａは、例えばキセノンランプ、ハロゲンランプ、メタルハライドランプ等の高輝度ランプであり、少なくとも可視光領域を含む照射光を放射する。
【００２９】
ランプ電源２５ｃは、光源２５ａの点灯を始動させるイグナイタ、ランプ点灯後の電流制御を行う安定化電源装置等を備える。ランプ電源２５ｃは、制御部２１から出力される制御命令に従って光源２５ａを点灯及び消灯させる。
【００３０】
集光レンズ２５ｂは、光源２５ａから放射された照射光を集光し、絞り２５ｄを介してライトガイド１２の入口端へ導く光学素子である。
【００３１】
絞り２５ｄは、光源２５ａからライトガイド１２へ至る光路上に配置され、光源２５ａからライトガイド１２へ入射する光量を調整する遮蔽体である。遮蔽体は、例えば板状であり、照射光の遮蔽面積が変化するように回転軸によって回転可能に支持されている。回転軸は、図示しない歯車機構等を介してモータ２５ｅに接続されている。
【００３２】
モータ２５ｅは、正回転又は逆回転することによって遮蔽板を回転させることができ、光源２５ａから電子内視鏡１０へ供給される照射光の光量を増減させる。つまり、モータ２５ｅは、絞り２５ｄの開度を変化させる動力源である。
【００３３】
モータ駆動部２５ｆは、制御部２１から出力される絞り２５ｄの制御量に応じてモータ２５ｅを正回転又は逆回転させる。つまり、モータ駆動部２５ｆは、制御量の大きさに応じて照射光が増減するように、モータ２５ｅを回転させる。
【００３４】
＜設定処理＞
次に、処置具３０の使用に適した調光、撮像素子１５の感度及び電子シャッタ速度の設定について説明する。
図３は、実施形態１に係る設定処理のフローチャート、図４は、電子内視鏡１０に処置具３０が装着された状態を示す模式図である。ＩＣタグリーダ１１はＩＣタグ３１の接近を監視しており、電子内視鏡１０はＩＣタグ３１がＩＣタグリーダ１１に対して近接した状態にあるか否かを判定する（ステップＳ１１）。図４に示すように、処置具３０が電子内視鏡１０に装着され、ＩＣタグリーダ１１に対してＩＣタグ３１が近接した状態にあると判定した場合（ステップＳ１１：ＹＥＳ）、ＩＣタグリーダ１１は、ＩＣタグ３１からタグ情報を読み出す（ステップＳ１２）。そして、内視鏡制御装置２０は、読み出されたタグ情報に基づいて、電子内視鏡１０に装着された処置具３０に適した各種設定を行い（ステップＳ１３）、処理を終える。具体的には、内視鏡駆動部１７は、ＩＣタグリーダ１１からタグ情報を取得し、取得したタグ情報を内視鏡装置の制御部２１へ送信する。制御部２１は内視鏡駆動部１７から送信されたタグ情報を受信し、受信したタグ情報に基づいて、各種設定を行う。例えば、光源２５ａの調光設定、撮像素子１５の感度及び電子シャッタ速度等を設定する。
【００３５】
ＩＣタグリーダ１１に対してＩＣタグ３１が近接した状態に無いと判定した場合（ステップＳ１１：ＮＯ）、内視鏡制御装置２０は、標準設定情報に基づいて、各種設定を行い（ステップＳ１４）、処理を終える。具体的には、内視鏡駆動部１７は、メモリ１８から標準設定情報を読み出し、読み出した標準設定情報を内視鏡装置の制御部２１へ送信する。制御部２１は内視鏡駆動部１７から送信された標準設定情報を受信し、受信した標準設定情報、術者によって予め設定された設定内容に基づいて、光源２５ａの調光設定、撮像素子１５の感度及び電子シャッタ速度等を設定する。
【００３６】
以上の通り、本実施形態１に係る電子内視鏡システム等によれば、電子内視鏡１０に処置具３０を装着するだけで、当該処置具３０の使用に適した所要の設定を行い、当該設定内容で調光、撮像素子１５の感度及び電子シャッタ速度を制御することができる。従って、電子内視鏡装置１は、処置具３０の使用に適した設定及び制御で得られた良好な撮像画像を外部モニタＡへ出力することが可能になる。
【００３７】
また、施術を終えた術者は、電子内視鏡１０から処置具３０を取り外すだけで、調光、撮像素子１５の感度及び電子シャッタ速度等の設定内容を元の標準設定に戻すことができる。
【００３８】
（実施形態２）
実施形態２に係る電子内視鏡システムは、ＩＣタグリーダの配置及び設定処理の手順が実施形態１と異なるため、以下では主にかかる相違点について説明する。その他の構成及び作用効果は実施形態１と同様であるため、対応する箇所には同様の符号を付して詳細な説明を省略する。
【００３９】
図５は、実施形態２に係る電子内視鏡システムの一構成例を示す模式図である。実施形態２に係る電子内視鏡装置２０１は、ＩＣタグリーダ２１１を電子内視鏡２１０のコネクタ部１０ｅに備える。
コネクタ部１０ｅは、電子内視鏡２１０に処置具３０が装着された場合にタグ情報の読み出しが不能になる当該ＩＣタグリーダ２１１の配置箇所の一例である。
【００４０】
図６は、実施形態２に係る設定処理のフローチャートである。電子内視鏡２１０のコネクタ部１０ｅに設けられたＩＣタグリーダ２１１はＩＣタグ３１の接近を監視しており、電子内視鏡２１０はＩＣタグ３１がＩＣタグリーダ２１１に対して近接した状態にあるか否かを判定する（ステップＳ２２１）。ＩＣタグリーダ２１１に対してＩＣタグ３１が近接した状態に無いと判定した場合（ステップＳ２２１：ＮＯ）、内視鏡制御装置２０は、処理を終える。ＩＣタグリーダ２１１に対してＩＣタグ３１が近接した状態にあると判定した場合（ステップＳ２２１：ＹＥＳ）、ＩＣタグリーダ２１１は、ＩＣタグ３１からタグ情報を読み出す（ステップＳ２２２）。そして、内視鏡制御装置２０は、タグ情報の読み出しが１回目であるか否かを判定する（ステップＳ２２３）。１回目であると判定した場合（ステップＳ２２３：ＹＥＳ）、内視鏡制御装置２０は、読み出されたタグ情報に基づいて、処置具３０に適した各種設定を行い（ステップＳ２２４）、処理を終える。
【００４１】
１回目で無いと判定した場合（ステップＳ２２３：ＮＯ）、内視鏡制御装置２０は、標準設定情報に基づいて、各種設定を行い（ステップＳ２２５）、処理を終える。
【００４２】
以上の通り構成された実施形態２に係る電子内視鏡システムによれば、術者は処置具３０を電子内視鏡２１０に装着する前に、処置具３０の操作ハンドル３０ｃを電子内視鏡２１０のコネクタ部１０ｅに接近させるだけで、当該処置具３０の使用に適した所要の設定を行い、当該設定内容で調光、撮像素子１５の感度及び電子シャッタ速度を制御することができる。
【００４３】
また、施術後、術者は使用済みの処置具３０の操作ハンドル３０ｃを再び電子内視鏡２１０のコネクタ部１０ｅに接近させるだけで、各種設定を標準設定に戻すことができる。
【００４４】
（実施形態３）
実施形態３に係る電子内視鏡システムは、ＩＣタグリーダの配置及び設定処理の手順が実施形態１と異なるため、以下では主にかかる相違点について説明する。その他の構成及び作用効果は実施形態１と同様であるため、対応する箇所には同様の符号を付して詳細な説明を省略する。
【００４５】
図７は、実施形態３に係る電子内視鏡システムの一構成例を示す模式図である。実施形態３に係る電子内視鏡装置３０１は、ＩＣタグリーダ３１１を内視鏡制御装置３２０に備える。
電子内視鏡装置３０１は、電子内視鏡３１０に処置具３０が装着された場合にタグ情報の読み出しが不能になる当該ＩＣタグリーダ３１１の配置箇所の一例である。
処置具３０の操作ハンドル３０ｃが内視鏡制御装置３２０のＩＣタグリーダ３１１に近接した状態にあって、処置具３０の近接が１回目である場合、内視鏡制御装置３２０は、ＩＣタグ３１からタグ情報を読み出し、実施形態２と同様にして調光設定、撮像素子１５の感度又は電子シャッタ速度等を設定する。また、処置具３０の操作ハンドル３０ｃが内視鏡制御装置３２０のＩＣタグリーダ３１１に対して近接した状態であって、処置具３０の近接が２回目である場合、内視鏡制御装置３２０は、標準設定情報に基づいて各種設定を行う。
【００４６】
以上の通り構成された実施形態３に係る電子内視鏡システム等によれば、内視鏡制御装置３２０に処置具３０を接近させるだけで、当該処置具３０の使用に適した所要の設定内容で調光、撮像素子１５の感度及び電子シャッタ速度を制御することができる。
【００４７】
また、施術後、使用済みの処置具３０を再び内視鏡制御装置３２０のＩＣタグリーダ３１１に接近させるだけで、各種設定を標準設定に戻すことができる。
【００４８】
なお、上記実施形態１〜３ではＩＣタグ及びＩＣタグリーダがタグ情報を無線で送受信する例を説明したが、タグ情報を記憶する電子タグ、当該電子タグから設定情報を読み出す読出部の一例である。読出部及び電子タグは電気的接触により電気的にタグ情報を読み出しても良いし、光学的に読み出しても良いし、光通信等で情報を読み出しても良い。
【００４９】
また、実施形態１〜３で示したＩＣタグ及びＩＣタグリーダの配置は一例であり、処置具を用意し、電子内視鏡に装着されるまでの過程でＩＣタグ及びＩＣタグリーダを接近させることができるような配置であれば、特に限定されるものでは無い。
【００５０】
今回開示された実施形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００５１】
１  電子内視鏡装置
１０  電子内視鏡
１０ａ  挿入管
１０ｂ  先端部
１０ｃ  手元操作部
１０ｄ  ユニバーサルチューブ
１０ｅ  コネクタ部
１０ｆ  処置具挿入口
１０ｇ  挿通路
１０ｈ  鉗子口
１１  ＩＣタグリーダ
１２  ライトガイド
１３  照明レンズ
１４  対物レンズ
１５  撮像素子
１６  アナログフロントエンド
１７  内視鏡駆動部
１８  メモリ
２０  内視鏡制御装置
２１  制御部
２２  タイミングコントローラ
２３  信号処理回路
２４  操作パネル
２５  光源装置
２５ａ  光源
２５ｂ  集光レンズ
２５ｃ  ランプ電源
２５ｄ  絞り
２５ｅ  モータ
２５ｆ  モータ駆動部
３０  処置具
３０ａ  管部
３０ｂ  先端器具
３０ｃ  操作ハンドル
３１  ＩＣタグ
Ａ  外部モニタ
【図１】
2018166988.tif 000003
【図２】
2018166988.tif 000004
【図３】
2018166988.tif 000005
【図４】
2018166988.tif 000006
【図５】
2018166988.tif 000007
【図６】
2018166988.tif 000008
【図７】
2018166988.tif 000009